【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数の装置にわたってクリアチャネルアセスメント（ＣＣＡ）スロットを同期させることと、
アンライセンススペクトラムが次の送信間隔において送信のために利用可能であるかどうかを決定するために、現在のゲーティング間隔において前記アンライセンススペクトラムのためにＣＣＡを実行することと、
前記決定が、前記アンライセンススペクトラムが利用不可能であるというものであるとき、前記次の送信間隔の間、前記アンライセンススペクトラムにおける前記送信をオフにゲーティングすることと
を備える、方法。
【請求項２】
前記送信はダウンリンク送信を含む、請求項１に記載の方法。
【請求項３】
前記送信はアップリンク送信を含む、請求項１に記載の方法。
【請求項４】
前記複数の装置は複数の進化型ノードＢ（ｅＮＢ）を含む、請求項１に記載の方法。
【請求項５】
異なる通信事業者からの複数の進化型ノードＢ（ｅＮＢ）にわたってＣＣＡスロットを同期させることをさらに備える、請求項１に記載の方法。
【請求項６】
前記ＣＣＡは前記現在のゲーティング間隔の最後のサブフレームの間に実行される、請求項１に記載の方法。
【請求項７】
前記ＣＣＡは前記現在のゲーティング間隔の最初のサブフレームの間に実行される、請求項１に記載の方法。
【請求項８】
ワイヤレス通信のための装置であって、
複数の装置にわたってクリアチャネルアセスメント（ＣＣＡ）スロットを同期させるための手段と、
アンライセンススペクトラムが次の送信間隔の間に前記アンライセンススペクトラムにおける送信のために利用可能であるかどうかを決定するために、現在のゲーティング間隔において前記アンライセンススペクトラムのためにクリアチャネルアセスメント（ＣＣＡ）を実行するための手段と、
前記決定が、前記アンライセンススペクトラムが利用不可能であるというものであるとき、前記次の送信間隔の間、前記アンライセンススペクトラムにおける前記送信をオフにゲーティングするための手段と、
を備える装置。
【請求項９】
前記送信はダウンリンク送信を含む、請求項８に記載の装置。
【請求項１０】
前記送信はアップリンク送信を含む、請求項８に記載の装置。
【請求項１１】
前記複数の装置は複数の進化型ノードＢ（ｅＮＢ）を含む、請求項８に記載の装置。
【請求項１２】
異なる通信事業者からの複数のｅＮＢにわたってＣＣＡスロットを同期させるための手段をさらに備える、請求項８に記載の装置。
【請求項１３】
前記ＣＣＡは前記現在のゲーティング間隔の最後のサブフレームの間に実行される、請求項８に記載の装置。
【請求項１４】
前記ＣＣＡは前記現在のゲーティング間隔の最初のサブフレームの間に実行される、請求項８に記載の装置。
【請求項１５】
ワイヤレス通信システムにおけるワイヤレス通信装置による通信のためのコンピュータプログラム製品であって、前記コンピュータプログラム製品は、請求項１乃至７のいずれか一項に記載のステップを実行するように配列された命令を記憶する非一時的コンピュータ可読媒体を備える、コンピュータプログラム製品。
【手続補正２】
【補正対象書類名】明細書
【補正対象項目名】０２７８
【補正方法】変更
【補正の内容】
【０２７８】
[0333]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
アンライセンススペクトラムが次の送信間隔において送信のために利用可能であるかどうかを決定するために、現在のゲーティング間隔において前記アンライセンススペクトラムのためにクリアチャネルアセスメント（ＣＣＡ）を実行することと、
前記決定が、前記アンライセンススペクトラムが利用不可能であるというものであるとき、前記次の送信間隔の間、前記アンライセンススペクトラムにおける前記送信をオフにゲーティングすることとを備える、方法。
［Ｃ２］
前記送信はダウンリンク送信を含む、Ｃ１に記載の方法。
［Ｃ３］
前記送信はアップリンク送信を含む、Ｃ１に記載の方法。
［Ｃ４］
複数の装置にわたって前記ＣＣＡの前記実行を同期させることをさらに備える、Ｃ１に記載の方法。
［Ｃ５］
前記複数の装置は複数の進化型ノードＢ（ｅＮＢ）を含む、Ｃ４に記載の方法。
［Ｃ６］
異なる通信事業者からの複数の進化型ノードＢ（ｅＮＢ）にわたって前記ＣＣＡの前記実行を同期させることをさらに備える、Ｃ１に記載の方法。
［Ｃ７］
前記ＣＣＡは前記現在のゲーティング間隔の最後のサブフレームの間に実行される、Ｃ１に記載の方法。
［Ｃ８］
前記ＣＣＡは前記現在のゲーティング間隔の最初のサブフレームの間に実行される、Ｃ１に記載の方法。
［Ｃ９］
ワイヤレス通信のための装置であって、
アンライセンススペクトラムが次の送信間隔の間に前記アンライセンススペクトラムにおける送信のために利用可能であるかどうかを決定するために、現在のゲーティング間隔において前記アンライセンススペクトラムのためにクリアチャネルアセスメント（ＣＣＡ）を実行するための手段と、
前記決定が、前記アンライセンススペクトラムが利用不可能であるというものであるとき、前記次の送信間隔の間、前記アンライセンススペクトラムにおける前記送信をオフにゲーティングするための手段と、
を備える装置。
［Ｃ１０］
前記送信はダウンリンク送信を含む、Ｃ９に記載の装置。
［Ｃ１１］
前記送信はアップリンク送信を含む、Ｃ９に記載の装置。
［Ｃ１２］
複数の装置にわたって前記ＣＣＡの実行を同期させるための手段をさらに備える、Ｃ９に記載の装置。
［Ｃ１３］
前記複数の装置は複数の進化型ノードＢ（ｅＮＢ）を含む、Ｃ１２に記載の装置。
［Ｃ１４］
異なる通信事業者からの複数のｅＮＢにわたって前記ＣＣＡの実行を同期させるための手段をさらに備える、Ｃ９に記載の装置。
［Ｃ１５］
前記ＣＣＡは前記現在のゲーティング間隔の最後のサブフレームの間に実行される、Ｃ９に記載の装置。
［Ｃ１６］
前記ＣＣＡは前記現在のゲーティング間隔の最初のサブフレームの間に実行される、Ｃ９に記載の装置。
［Ｃ１７］
ワイヤレス通信のための装置であって、
プロセッサと、
前記プロセッサと電気的に通信しているメモリと、
前記メモリに記憶された命令と、
を備え、前記命令は、
アンライセンススペクトラムが次の送信間隔の間に前記アンライセンススペクトラムにおける送信のために利用可能であるかどうかを決定するために、現在のゲーティング間隔において前記アンライセンススペクトラムのためにクリアチャネルアセスメント（ＣＣＡ）を実行し、
前記決定が、前記アンライセンススペクトラムが利用不可能であるというものであるとき、前記次の送信間隔の間、前記アンライセンススペクトラムにおける前記送信をオフにゲーティングするように、
前記プロセッサによって実行可能である、装置。
［Ｃ１８］
前記送信はダウンリンク送信を含む、Ｃ１７に記載の装置。
［Ｃ１９］
前記送信はアップリンク送信を含む、Ｃ１７に記載の装置。
［Ｃ２０］
前記命令は、
複数の装置にわたって前記ＣＣＡの前記実行を同期させるように前記プロセッサによって実行可能である、Ｃ１７に記載の装置。
［Ｃ２１］
前記複数の装置は複数の進化型ノードＢ（ｅＮＢ）を含む、Ｃ２０に記載の装置。
［Ｃ２２］
前記命令は、
異なる通信事業者からの複数の進化型ノードＢ（ｅＮＢ）にわたって前記ＣＣＡの実行を同期させるように前記プロセッサによって実行可能である、Ｃ１７に記載の装置。
［Ｃ２３］
前記ＣＣＡは前記現在のゲーティング間隔の最後のサブフレームの間に実行される、Ｃ１７に記載の装置。
［Ｃ２４］
前記ＣＣＡは前記現在のゲーティング間隔の最初のサブフレームの間に実行される、Ｃ１７に記載の装置。
［Ｃ２５］
ワイヤレス通信システムにおけるワイヤレス通信装置による通信のためのコンピュータプログラム製品であって、前記ワイヤレス通信装置に、
アンライセンススペクトラムが次の送信間隔の間に前記アンライセンススペクトラムにおける送信のために利用可能であるかどうかを決定するために、現在のゲーティング間隔において前記アンライセンススペクトラムのためにクリアチャネルアセスメント（ＣＣＡ）を実行させ、
前記決定が、前記アンライセンススペクトラムが利用不可能であるというものであるとき、前記次の送信間隔の間、前記アンライセンススペクトラムにおける前記送信をオフにゲーティングさせる
ようにプロセッサによって実行可能な命令を記憶した非一時的コンピュータ可読媒体を備える、コンピュータプログラム製品。
［Ｃ２６］
前記送信はダウンリンク送信を含む、Ｃ２５に記載のコンピュータプログラム製品。
［Ｃ２７］
前記送信はアップリンク送信を含む、Ｃ２５に記載のコンピュータプログラム製品。
［Ｃ２８］
前記命令は、前記ワイヤレス通信装置に、
複数の装置にわたって前記ＣＣＡの前記実行を同期させるように前記プロセッサによって実行可能である、Ｃ２５に記載のコンピュータプログラム製品。
［Ｃ２９］
前記複数の装置は複数の進化型ノードＢ（ｅＮＢ）を含む、Ｃ２８に記載のコンピュータプログラム製品。
［Ｃ３０］
前記命令は、前記ワイヤレス通信装置に、
異なる事業者からの複数の進化型ノードＢ（ｅＮＢ）にわたって前記ＣＣＡの実行を同期させるように前記プロセッサによって実行可能である、Ｃ２５に記載のコンピュータプログラム製品。
［Ｃ３１］
前記ＣＣＡは前記現在のゲーティング間隔の最後のサブフレームの間に実行される、Ｃ２５に記載のコンピュータプログラム製品。
［Ｃ３２］
前記ＣＣＡは前記現在のゲーティング間隔の最初のサブフレームの間に実行される、Ｃ２５に記載のコンピュータプログラム製品。